(57)【特許請求の範囲】
【請求項１】
遊技機の遊技盤に固定される台板を備え、該台板には上下一対の上部および下部入賞口が形成され、前記下部入賞口は前記遊技盤と直交する前後方向の軸線回りに回動可能に支持された回動翼片を備えており、前後方向に直線移動するプランジャにより前記回動翼片を回転駆動するソレノイドがハウジングに固定されてなる遊技機用可変入賞装置において、
前記台板には、前記上部入賞口に連続して後方へ延び出すように樋が形成される一方、前記ハウジングには、前記ソレノイドの前方に位置する中間側壁から前方へ向けて延び出す前方天井壁が形成され、前記台板の樋と前記ハウジングの前方天井壁とによって、前記上部入賞口に入賞した遊技球を検出手段へ誘導する誘導路が構成されており、
前記誘導路において、前記樋の後端部の底面は、前記ソレノイドの上端水平位置よりも下方に配置されるとともに、前記前方天井壁の上面は、前記樋と前記中間側壁との間で、前記樋の後端部の底面よりもさらに下方に位置するように段差を設けて配置され、
前記中間側壁の後面には、前記プランジャの前端面に前方から接触して該プランジャの原位置を規定するストッパが形成されていることを特徴とする遊技機用可変入賞装置。
【請求項２】
前記誘導路は、前記ソレノイドの前方位置で、左右方向の少なくともいずれか一方へ向けて曲げ形成されている請求項１に記載の遊技機用可変入賞装置。
【請求項３】
前記ハウジングは、前記ソレノイドを載置する載置領域を有するベース体と、前記ベース体の上部を覆うとともに、前記ベース体の載置領域に載置された前記ソレノイドをその載置領域に固定配置する蓋体とで構成されており、前記蓋体に前記誘導路が形成されている請求項１または２に記載の遊技機用可変入賞装置。
【請求項４】
請求項１乃至３のいずれか１項に記載の遊技機用可変入賞装置が前記遊技盤に固定配置されたことを特徴とする遊技機。
【発明の詳細な説明】
【技術分野】
【０００１】
本発明は、遊技機用可変入賞装置及びそれを用いた遊技機に関し、特に遊技機の遊技盤に固定される台板にて上下一対の上部および下部入賞口を有する遊技機用可変入賞装置、及びその遊技機用可変入賞装置を用いた遊技機に関する。
【背景技術】
【０００２】
この種の遊技機用可変入賞装置として、例えば下記特許文献１に記載されているように、遊技機の遊技盤に固定される基体（台板）にて上下一対の上部および下部遊技球受け（上部および下部入賞口）を有するものが知られている。この特許文献１に記載された遊技機用可変入賞装置では、基体の上面に後方へ向けて延び出す誘導路が形成されており、上部遊技球受けに入球（入賞）した遊技球が誘導路に沿って転がり、入賞装置の後端側で基体の外側へ排出されるようになっている。
【特許文献１】登録実用新案第３０４７５５８号公報
【発明の開示】
【発明が解決しようとする課題】
【０００３】
しかしながら、上記特許文献１に記載された遊技機用可変入賞装置では、誘導路がソレノイドの上方に配置されるように構成されている。このため、基体あるいは誘導路が形成されるハウジングの高さ寸法が大きくなってしまうという問題がある。なお、基体あるいは誘導路が形成されるハウジングの高さ寸法が大きくなると、その設置スペースが大きくなるので、例えば盤面の中央に搭載される液晶表示部の大型化に対応させてセンター役物を大型化することが困難となる。
【０００４】
本発明は、上記課題を解決するためになされたものであり、その目的は、例えば盤面の中央に搭載される液晶表示部の大型化に対応させてセンター役物を大型化し得る遊技機用可変入賞装置及びそれを用いた遊技機を提供することにある。
【課題を解決するための手段および発明の効果】
【０００５】
上記課題を解決するために本発明の遊技機技用可変入賞装置は、遊技機の遊技盤に固定される台板を備え、この台板には上下一対の上部および下部入賞口が形成され、下部入賞口は遊技盤と直交する前後方向の軸線回りに回動可能に支持された回動翼片を備えており、前後方向に直線移動するプランジャにより回動翼片を回転駆動するソレノイドがハウジングに固定されてなる遊技機用可変入賞装置において、台板には、上部入賞口に連続して後方へ延び出すように樋が形成される一方、ハウジングには、ソレノイドの前方に位置する中間側壁から前方へ向けて延び出す前方天井壁が形成され、台板の樋とハウジングの前方天井壁とによって、上部入賞口に入賞した遊技球を検出手段へ誘導する誘導路が構成されており、誘導路において、樋の後端部の底面は、ソレノイドの上端水平位置よりも下方に配置されるとともに、前方天井壁の上面は、樋と中間側壁との間で、樋の後端部の底面よりもさらに下方に位置するように段差を設けて配置され、中間側壁の後面には、プランジャの前端面に前方から接触してプランジャの原位置を規定するストッパが形成されていることを特徴とする。
【０００６】
この遊技機技用可変入賞装置では、誘導路を台板とソレノイドの間（ソレノイドの前方位置）に配置したことにより、誘導路がソレノイドに干渉されなくなるため、誘導路の底面をソレノイドの上端水平位置よりも下方に配置することができる。これにより、ハウジングの高さ寸法を小さくすることができる。また、上部入賞口を下部入賞口に近づけることができ、台板の高さ寸法を小さくすることもできる。これにより、遊技機用可変入賞装置の全体をコンパクト化することができる。
【０００７】
本発明の実施に際して、誘導路は、ソレノイドの前方位置で、左右方向の少なくともいずれか一方へ向けて曲げ形成されている構成にするとよい。
【０００８】
これによれば、誘導路がソレノイドの前方位置で、左右方向の少なくともいずれか一方へ向けて曲げ形成されている。このため、ソレノイドを台板から極端に離れた位置に設置しなくて済むので、ハウジングの奥行き寸法を必要最小限に抑えつつ、ハウジングの高さ寸法を小さくすることができる。
【０００９】
また、本発明の実施に際して、ハウジングは、ソレノイドを載置する載置領域を有するベース体と、ベース体の上部を覆うとともに、ベース体の載置領域に載置されたソレノイドをその載置領域に固定配置する蓋体とで構成されており、蓋体に誘導路が形成されているように構成するとよい。
【００１０】
これによれば、上記した入賞装置のコンパクト化に加えて、ソレノイドをハウジングに組み付ける際は、ソレノイドをベース体の載置領域に上側から載置して蓋体で覆えばよいので、組付作業が容易であり、組付工程数を削減することができる。また、蓋体とは別体の固定手段を用いなくてもソレノイドをハウジングに固定することが可能となって、部品点数（通常、ソレノイドをハウジングに取り付けるためのねじ）を削減することも可能である。
【００１１】
また、上記課題を解決するために本発明の遊技機は、上記した遊技機用可変入賞装置が遊技盤に固定配置されたことを特徴とする。
【００１２】
これによれば、上記した遊技機技用可変入賞装置を遊技盤に固定配置することで、遊技盤への配置自由度が増え、遊技者に趣向を持たせる遊技機を提供することができる。
【発明を実施するための最良の形態】
【００１３】
以下、本発明の一実施形態を図面を参照しつつ説明する。図１は本発明の一実施形態に係る遊技機用可変入賞装置を備えた遊技機の一例（例えば、パチンコ機）を示す全体図、図２は図１に示した遊技機用可変入賞装置の斜視図、図３は図２の正面図およびＡ−Ａ中心断面図、図４は図２に示した遊技機用可変入賞装置を前方側ユニットと後方側ユニットに分離して示す分解斜視図、図５は図４に示した後方側ユニットをベース体側と蓋体側に分離して示す分解斜視図、図６は図４に示した後方側ユニットの分解斜視図、図７は図２に示した遊技機用可変入賞装置が閉鎖状態にあるときの要部を示す斜視図および右側面図、図８は図７に示した遊技機用可変入賞装置の要部が開放状態にあるときの斜視図および右側面図、図９は図６に示した蓋体の側面破断図である。
【００１４】
図１に示すように、遊技機１における遊技盤２の盤面２ａには、円形の遊技領域が形成されており、この遊技領域は上側領域を除く外周縁に沿って形成される円弧状の発射レール２ｂによって区画されている。盤面２ａの中央には液晶表示部３が搭載され、液晶表示部３の下方（盤面２ａの中央下部）には大入賞口を有し入賞扉４ａによって形成されるアタッカー４が配置されている。液晶表示部３とアタッカー４との間には、電動チューリップと称される遊技機用可変入賞装置（以下、入賞装置と略称する）５が配置されている。
【００１５】
なお、本明細書において、上下方向とは遊技盤２の盤面２ａに沿う態様で遊技球が流下する方向（鉛直方向）を意味する。また、左右方向とは遊技盤２の盤面２ａに沿う態様で上下方向と直交する方向（水平方向）を意味する。また、前後方向とは遊技盤の盤面２ａに直交する方向（水平方向）を意味し、盤面２ａの前側（遊技者側）が前方側であり、盤面２ａの後側（奥側）が後方側である。
【００１６】
図２〜図４に示すように、入賞装置５は、前方側ユニットＦＵと、この前方側ユニットＦＵに一体的に組み付けられる後方側ユニットＲＵで構成されている。前方側ユニットＦＵは、台板１０、前側装飾部材２０および一対の回動翼片３０，３０を備えており、後方側ユニットＲＵは、ソレノイド４０、伝達部材５０、ハウジング６０および近接スイッチ７０を備えている。
【００１７】
台板１０は、遊技盤２の盤面２ａに取り付けられる（図１参照）。台板１０には、前方へ突出した形態で前側装飾部材２０が取り付けられており、台板１０と前側装飾部材２０との間に、一対の回動翼片３０，３０が組み込まれている。
【００１８】
この台板１０には、上下一対の上部入賞口１１と下部入賞口１２が形成されるとともに、上部入賞口１１に対応して樋１３が形成され、下部入賞口１２に対応して前後方向に貫通する通過孔１４と樋１５が形成されている。上部入賞口１１は、台板１０の前部にて前方へ突出形成されている。下部入賞口１２は、一対の回動翼片３０，３０を備えており、各回動翼片３０の回動位置に応じて閉鎖状態または開放状態となる。
【００１９】
樋１３は、上部入賞口１１に連続して後方へ延び出すように台板１０の後部に形成されていて、上部入賞口１１に入賞した遊技球をハウジング６０側へ誘導する。上部入賞口１１および樋１３の底部には、その中心線上を後方へ向かうに従って傾斜角が連続的に小さくなる湾曲状の誘導リブ１６が形成されていて、遊技球が樋１３内を誘導リブ１６に沿って滑らかに後方へ転がるようになっている。
【００２０】
樋１５は、通過孔１４の周縁下部から連続的に後方へ延び出すように台板１０の後部に形成されていて、下部入賞口１２に入賞して通過孔１４に導入された遊技球をハウジング６０内へ誘導する。なお、前側装飾部材２０には、下部入賞口１２に入賞した遊技球を樋１５へ誘導する誘導リブ２１が一体形成されている。
【００２１】
また、台板１０の後面には、左右一対の取付部１７，１７が後方へ突出形成されている。各取付部１７は、ハウジング６０に取り付けられる部位としての機能を果たし、円柱状に形成され、その軸線方向（前後方向）に延びるビス止め部１７ａを有している。
【００２２】
一対の回動翼片３０，３０は、台板１０と前側装飾部材２０により遊技盤２の盤面２ａと直交する軸線Ｏ１，Ｏ１回りに回動可能に支持されている（図１、図７（ａ）参照）。各回動翼片３０は、各軸線Ｏ１よりも内方位置にて台板１０の後方へ突出形成される突起３１（連結部）を備えている。突起３１（連結部）は、伝達部材５０から作用を受ける被作用部としての機能を果たしており、下方への力が作用した場合には各回動翼片３０が各軸線Ｏ１回りに互いに接近する方向（内方）に付勢され（図７参照）、上方への力が作用した場合には各回動翼片３０が各軸線Ｏ１回りに互いに離間する方向（外方）に付勢される（図８参照）。そして、各回動翼片３０が各軸線Ｏ１回りに互いに接近する方向に付勢された状態では、下端部に形成された脚部３２が前側装飾部材２０の底部に接触して閉鎖位置に保持される（図示せず）。一方、各回動翼片３０が各軸線Ｏ１回りに互いに離間する方向に付勢された状態では、各回動翼片３０自体が前側装飾部材２０の傾斜部２２に接触して開放位置に保持される。
【００２３】
ソレノイド４０（駆動アクチュエータ）は、図３〜図６に示すように、コイル部４１、プランジャ４２、およびコイル部４１の左右前後を囲う金属製のケース４３を備えてなり、コイル部４１への通電により発生する電磁力によってプランジャ４２が前後方向に直線移動する。
【００２４】
具体的には、プランジャ４２の前端部には、前後に一対のフランジ部４２ａ，４２ａが設けられ、後方側のフランジ部４２ａとケース４３との間には圧縮コイルばね４４が介装されており、プランジャ４２が圧縮コイルばね４４を圧縮しつつコイル部４１内へ引き込まれるようになっている。すなわち、プランジャ４２は、コイル部４１の通電解除状態では圧縮コイルばね４４の付勢力により前方へ押し出された原位置にあり、コイル部４１の通電状態では圧縮コイルばね４４の付勢力に抗してコイル部４１内へ引き込まれた作用位置に移動する。
【００２５】
伝達部材５０は、図６〜図８に示すように、大きさの異なるリンク５１，５２、およびこれらリンク５１，５２を相対回転可能に支持する支持ピン５３で構成されている。リンク５１は、左右一対のアーム５１ａ，５１ａが架橋部５１ｂにより一体形成されたものであり、各アーム５１ａの後端部下方位置には支持ピン５３を挿通させる支持ピン孔５１ｃが形成され、各アーム５１ａの前端下方位置には自身の回転に伴ってリンク５２を回転させる突片５１ｄが前向きに突出形成され、各アーム５１ａの後端部上方位置にはプランジャ４２のフランジ部４２ａ，４２ａ間に形成された溝部４２ｂに嵌まる突起５１ｅが内向きに突出形成されている。
【００２６】
リンク５２は、左右一対のアーム５２ａ，５２ａが架橋部５２ｂにより一体形成されたものであり、各アーム５２ａの後端部には支持ピン５３を挿通させる支持ピン孔５２ｃが形成され、各アーム５２ａの前端には回動翼片３０の突起３１と連結し合う二股状の作用部５２ｄ（連結部）が形成され、各アーム５２ａの中間部上方位置にはリンク５１の突片５１ｄと係合可能な突起５２ｅが形成されている。そして、リンク５１の各アーム５１ａがリンク５２の各アーム５２ａを跨ぐように、リンク５１の各アーム５１ａがリンク５２の各アーム５２ａの外側に配置されて支持ピン５３により一体的に連結されるようになっている。また、伝達部材５０としてリンクを２つ設けたことにより、こじれることなく的確にソレノイド４０の駆動力を回動翼片３０に伝達することができる。
【００２７】
具体的には、図７（ａ），７（ｂ）に示すように、回動翼片３０が伝達部材５０を介してソレノイド４０に連結されている場合において、コイル部４１が通電解除状態にありプランジャ４２が原位置にある場合には、リンク５１の各突片５１ｄがリンク５２の各突起５２ｅから離間するように設定されている。このため、リンク５２は自重により支持ピン５３回りに下方へ変位した原位置にあり、リンク５２の各作用部５２ｄが回動翼片３０の突起３１を上方から押し下げる。これにより、各回動翼片３０が各軸線Ｏ１回りに互いに接近する方向に回動して閉鎖位置に保持される。
【００２８】
一方、図８（ａ），８（ｂ）に示すように、コイル部４１が通電状態にありプランジャ４２が作用位置にある場合には、リンク５１の各突片５１ｄがリンク５２の各突起５２ｅを下方から押し上げるように設定されている。このため、リンク５２は支持ピン５３回りに上方へ変位した作用位置にあり、リンク５２の各作用部５２ｄが各回動翼片３０の突起３１を下方から押し上げる。これにより、各回動翼片３０が各軸線Ｏ１回りに互いに離間する方向に回動して開放位置に保持される。
【００２９】
ハウジング６０は、ソレノイド４０、伝達部材５０および近接スイッチ７０を収容するものであり、図５および図６に示すように、前後方向の相互スライドにより一体結合可能なベース体６１と蓋体６４で構成されている。最初に、ベース体６１について説明する。ベース体６１は、上方および前方が開口されるとともに、上段収容部６２と下段収容部６３を有する段付き容器状に形成されている。上段収容部６２は、下段収容部６３よりも後方位置に配置されている。
【００３０】
上段収容部６２は、ソレノイド４０を載置する載置領域としての底壁６２ａを有している。底壁６２ａは、一対の左右壁６２ｂ，６２ｂ、後壁６２ｃ、および各左右壁６２ｂの前端にて内向きに屈曲形成された屈曲壁６２ｄによって区画されている。この区画された前後および左右寸法は、それぞれソレノイド４０のケース４３の前後および左右寸法とほぼ同じ寸法に形成されている。なお、ソレノイド４０が底壁６２ａに載置された状態では、ケース４３が各左右壁６３ｂから上方へ突出するようになっている。
【００３１】
各左右壁６２ｂの外面には、前後方向に延び出し前方へ向かうに従って幅寸法（上下方向寸法）が小さくなるテーパ状の係合突起６２ｅ（係合部）が一体形成されている。後壁６２ｃには、ソレノイド４０のリード線（図示省略）を上段収容部６２の内側から外側へ出すための円弧状の切欠６２ｆが形成されている。
【００３２】
下段収容部６３は、伝達部材５０および近接スイッチ７０を載置する載置領域としての底壁６３ａを有している。底壁６３ａは、一対の左右壁６３ｂ，６３ｂおよび後壁６３ｃによって区画されている。底壁６３ａの中央には、近接スイッチ７０の外形寸法とほぼ同じ寸法に形成されて近接スイッチ７０を嵌め入れ可能な凹所６３ｄが形成されている。凹所６３ｄには、近接スイッチ７０を通過した遊技球を外側へ排出するための排出孔６３ｅが形成されている。なお、近接スイッチ７０が凹所６３ｄに嵌入された状態では近接スイッチ７０の上面が底壁６３ａの上面から若干量だけ突出するようになっている。
【００３３】
各左右壁６３ｂの後端部には、伝達部材５０の支持ピン５３を上方から嵌め入れ可能なピン支持部６３ｆが形成されている。ピン支持部６３ｆは、各左右壁６３ｂの外側面に一体形成された略Ｌ字状のブラケット部６３ｇと、各左右壁６３ｂの一部位とで構成されている。支持ピン５３がピン支持部６３ｆに嵌入された状態では、支持ピン５３の前後、左右および下方への移動が規制され、上方への移動のみが許容される。これにより、伝達部材５０は、リンク５１，５２が底壁６３ａを載置領域として載置され、支持ピン５３が各左右壁６３ｂのピン支持部６３ｆを載置領域として載置されることとなる。
【００３４】
各左右壁６３ｂは、側面視にて後方へ向かうに従って高さ寸法が段階的に高くなる階段状（例えば３段）に形成されている。各左右壁６３ｂの外面には、前後方向に延び出し前方へ向かうに従って幅寸法が小さくなるテーパ状の係合突起６３ｈ（係合部）が一体形成されている。後壁６３ｃの中央には、前後方向にてビス８１を貫通させる貫通孔６３ｋが形成されている（図３（ｂ）参照）。
【００３５】
次に、蓋体６４について説明する。蓋体６４は、略逆Ｕ字状の横断面を有する形状に形成されており、後方天井壁６４ａ、一対の左右側壁６４ｂ、後方天井壁６４ａと各左右側壁６４ｂを接続する中間側壁６４ｃ、および中間側壁６４ｃから前方へ向けて延び出す前方天井壁６４ｄで構成されている。後方天井壁６４ａの後部下面（移動規制部）は、ソレノイド４０がベース体６１に収容された状態でソレノイド４０のケース４３の前部上面と接触してソレノイド４０の上方への移動を規制する（図３（ｂ）、図９参照）。
【００３６】
各左右側壁６４ｂは、ベース体６１における下段収容部６３の各左右側壁６３ｂの上面と隙間なく接触できるように各左右側壁６３ｂの上面に対応した階段状（例えば３段）に形成されている。これにより、ベース体６１に蓋体６４が組み付けられた状態では、各左右側壁６４ｂの一部位により各ピン支持部６３ｆが覆われて伝達部材５０における支持ピン５３の上方への移動が規制される（図４参照）。
【００３７】
各左右側壁６４ｂの内側面には、図６および図９に示すように、その後端から中間側壁６４ｃに渡って前後方向に延びる突条６４ｅが形成されている。突条６４ｅには、段部６４ｅ１が形成されている。突条６４ｅの段部６４ｅ１（移動規制部）は、ソレノイド４０がベース体６１に収容された状態でソレノイド４０のケース４３の前部前面と接触してソレノイド４０の前方への移動を規制する。また、各左右側壁６４ｂの内側面には、ベース体６１における上段収容部６２の各係合突起６２ｅに係合可能な係合凹部６４ｆ（係合部）が形成されている。
【００３８】
各左右側壁６４ｂの外側面には、ベース体６１における下段収容部６３の係合突起６３ｈに係合可能な係合凹部６４ｇ（係合部）が形成されている。また、各左右側壁６４ｂの外側面には、台板１０の取付部１７に対応して取付部６４ｈが形成されている。取付部６４ｈは、底部６４ｈ１を有する略円筒状に形成され、台板１０の取付部１７を前後方向へガイドしつつ底部６４ｈ１との接触により台板１０を前後方向にて位置決めする。底部６４ｈ１には、前後方向にビス８２を貫通させる貫通孔６４ｈ２が形成されている。
【００３９】
中間側壁６４ｃの内側面中央には、ベース体６１と蓋体６４の組付けに際してプランジャ４２の前端面に前方から接触してプランジャ４２の原位置を規定するストッパ６４ｋが形成されている。
【００４０】
前方天井壁６４ｄには、図３（ｂ）および図９に示すように、その前方側を基端として後方へ向けて延び出す延出部６４ｍが形成されている。延出部６４ｍは、斜め下後方へ向けて屈曲されてベース体６１における凹所６３ｄの排出孔６３ｅを覆いつつ排出孔６３ｅの周縁後部側へ接近する中間連結部６４ｍ１と、この中間連結部６４ｍ１から後方へ向けて水平に延び出す円筒部６４ｍ２を備えている。中間連結部６４ｍ１は、台板１０の樋１５からの遊技球を排出孔６３ｅへ誘導するガイド壁として機能する。
【００４１】
円筒部６４ｍ２には、その先端側（後端側）孔部位にビス８１（図３（ａ）参照）と螺合可能なビス止め部６４ｍ３が形成されている。そして、ベース体６１が蓋体６４に覆われた状態では、円筒部６４ｍ２の先端面（後端面）がベース体６１における下段収容部６３の後壁６３ｃの内側面に接触して、下段収容部６３の後壁６３ｃと延出部６４ｍがビス８１によるねじ結合により一体化されるようになっている。
【００４２】
また、円筒部６４ｍ２の外周面下部には、前後方向に延びる突条壁６４ｍ４（移動規制壁）が形成されている。そして、ベース体６１に蓋体６４が覆われた状態では、円筒部６４ｍ２の突条壁６４ｍ４が凹所６３ｄに載置された近接スイッチ７０の上面と接触して近接スイッチ７０の上方への移動が規制されるようになっている。
【００４３】
前方天井壁６４ｄの上面は、蓋体６４を正面から見た場合、例えば右方へ向かうに従って高さが連続的に低くなる傾斜面状に形成されており（図２参照）、中間側壁６２ｃの前面と協働して、樋１３からの遊技球を受けてハウジング６０外の所定位置に設けられた近接スイッチ８０へ誘導する誘導路として機能するようになっている（図２参照）。そして、図２〜図４に示すように、前方天井壁６４ｄの上面の最大高さ位置は、上段収容部６２の底壁６２ａに載置されたソレノイド４０の上端水平位置よりも下方に配置されるように設定されている。
【００４４】
すなわち、ソレノイド４０の前方位置に誘導路としての前方天井壁６４ｄを形成することにより、誘導路の誘導壁として機能する中間側壁６４ｃの裏面側にストッパ６４ｋを形成することができるので、ハウジング６０の奥行き寸法を効果的に抑えることができる。また、台板１０の樋１３とハウジング６０の前方天井壁６４ｄで構成される上部入賞口１１からの遊技球の誘導路において、前方天井壁６４ｄは樋１３に対して例えば右方へ屈曲状又は湾曲状に曲がるように形成されている。なお、前方天井壁６４ｄと中間側壁６４ｃとの間には、遊技球の例えば左方への落下を阻止する落下阻止壁６４ｎと、遊技球を例えば右方へ向けて誘導する誘導リブ６４ｐが形成されている。
【００４５】
近接スイッチ７０（検出手段）は、遊技球が下部入賞口１２に入賞したことを検知するためのものであり、近接スイッチ８０（検出手段）は、遊技球が上部入賞口１１に入賞したことを検知するためのものであり、いずれも非接触式のセンサで構成されている。
【００４６】
次に、上記のように構成した入賞装置５を組み付ける工程について説明する。前方側ユニットＦＵにおいては、図４に示すように、台板１０に、前側装飾部材２０および一対の回動翼片３０，３０を組み付けておく。
【００４７】
後方側ユニットＲＵにおいては、図６に示すように、まず、ベース体６１における下段収容部６３の底壁６３ａの凹所６３ｄに近接スイッチ７０を嵌め入れる。次に、予め一体化しておいた伝達部材５０の支持ピン５３をベース体６１における下段収容部６３の各左右壁６３ｂのピン支持部６３ｆに嵌め入れる。次に、リンク５１における各アーム５１ａの突起５１ｅがプランジャ４２のフランジ部４２ａ，４２ａ間に形成された溝部４２ｂに嵌まり込むように、プランジャ４２を圧縮コイルばね４４の付勢力に抗してコイル部４１内へ押し込みつつソレノイド４０をベース体６１における上段収容部６２の底壁６２ａに載置する。
【００４８】
これにより、ソレノイド４０、伝達部材５０および近接スイッチ７０のベース体６１への組付けが完了する（図５参照）。なお、ソレノイド４０および伝達部材５０のベース体６１への組付けが完了した状態では、リンク５１，５２の各アーム５１ａ，５２ａはいずれも自重により下段収容部６３の底壁６３ａに接触して下方への移動を規制される。（図７（ｂ）参照）。
【００４９】
次に、このベース体６１の前方から蓋体６４を後方へ向けてスライドさせる（蓋体６４の後方からベース体６１を前方へ向けてスライドさせる）。このとき、ベース体６１における上段収容部６２の各左右側壁６２ｂの係合突起６２ｅと、蓋体６４における各左右側壁６４ｂの係合凹部６４ｆとが係合するのと同時に、ベース体６１における下段収容部６３の各左右側壁６３ｂの係合突起６３ｈと、蓋体６４における各左右側壁６４ｂの係合凹部６４ｇとが係合して蓋体６４とベース体６１との相互スライド時の安定性が確保される。
【００５０】
そして、蓋体６４における後方天井壁６４ａの後部下面がソレノイド４０のケース４３の前部上面と接触し、各左右側壁６４ｂにおける突条６４ｅの段部６４ｅ１がソレノイド４０のケース４３の前部前面と接触するのとほぼ同時に、蓋体６４における延出部６４ｍの円筒部６４ｍ２の後端面がベース体６１における下段収容部６３の後壁６３ｃに接触する。このとき、円筒部６４ｍ２の突条壁６４ｍ４が凹所６３ｄに載置された近接スイッチ７０の上面と接触した状態となる。この状態で、ベース体６１における下段収容部６３の後壁６３ｃと延出部６４ｍにおける円筒部６４ｍ２のビス止め部６４ｍ３をビス８１によりねじ結合すれば、後方側ユニットＲＵの組付けが完了する（図４参照）。
【００５１】
最後に、蓋体６４における各左右側壁６４ｂの取付部６４ｈと、台板１０の取付部１７を突き合わせてビス８２によりねじ結合すれば、入賞装置５の組付けが完了する（図２参照）。なお、前方側ユニットＦＵと後方側ユニットＲＵを別々に組み付けてから前方側ユニットＦＵと後方側ユニットＲＵを一体化するのに代えて、例えば最初に蓋体６４における各左右側壁６４ｂの取付部６４ｈと、台板１０の取付部１７をビス８２によりねじ結合しておき（前方側ユニットＦＵと蓋体６４を先に取り付けておき）、この蓋体６４と、ソレノイド４０、伝達部材５０および近接スイッチ７０を載置したベース体６１とをビス８１によりねじ結合して入賞装置５を組み付けるようにしてもよい。
【００５２】
以上の説明から明らかなように、この実施形態では、前方天井壁６４ｄを台板１０とソレノイド４０の間（ソレノイド４０の前方位置）に配置したことにより、前方天井壁６４ｄがソレノイド４０に干渉されなくなるため、前方天井壁６４ｄの上面（誘導路の底面）をソレノイド４０の上端水平位置よりも下方に配置することができる。これにより、ハウジング６０の高さ寸法を小さくすることができる。また、上部入賞口１１を下部入賞口１２に近づけることができ、台板１０の高さ寸法を小さくすることもできる。これにより、入賞装置５の全体をコンパクト化することができる。
【００５３】
また、上記実施形態では、前方天井壁６４ｄの上面がソレノイド４０の前方位置で、台板１０の樋１３に対して例えば右方へ向けて曲がるように形成されている。このため、ソレノイド４０を台板１０から極端に離れた位置に設置しなくて済むので、ハウジング６０の奥行き寸法を必要最小限に抑えつつ、ハウジング６０の高さ寸法を小さくすることができる。
【００５４】
また、上記実施形態では、ソレノイド４０をベース体６１における上段収容部６２の底壁６２ａに、伝達部材５０をベース体６１における下段収容部６３の各左右壁６３ｂのピン支持部６３ｆにそれぞれ載置した後、ベース体６１に蓋体６４を取り付けることで、ソレノイド４０と伝達部材５０がベース体６１に同時に固定配置される。このため、ソレノイド４０と伝達部材５０をハウジング６０に組み付ける際は、ソレノイド４０と伝達部材５０をベース体６１の上記各載置領域に載置して蓋体６４で覆えばよいので、組付作業が容易であり、組付工程数を削減することができる。また、蓋体６４とは別体の固定手段を用いなくてもソレノイド４０と伝達部材５０をハウジング６０に固定することが可能となって、部品点数（通常、ソレノイドをハウジングに取り付けるためのビス）を削減することも可能である。
【００５５】
また、上記実施形態では、以上に説明した入賞装置５が遊技盤２に固定配置される。これにより、遊技盤２への配置自由度が増え、遊技者に趣向を持たせる遊技機１を提供することができる。
【００５６】
（第１変形実施形態）
上記実施形態では、伝達部材５０におけるリンク５１の一対のアーム５１ａ，５１ａと、リンク５２の一対のアーム５２ａ，５２ａをいずれも左右対称の形状に形成した。すなわち、リンク５１の両突片５１ｄ，５１ｄを左右で同じ高さ位置に配置し、リンク５２の両突起５２ｅ，５２ｅを左右で同じ高さ位置に配置した。しかし、伝達部材５０はリンク５１，５２で構成されるものに限らず、例えば図１０および図１１に示すようなリンク１５１，１５２で構成される伝達部材１５０を採用してもよい。なお、この第１変形実施形態において、上記実施形態の伝達部材５０と同じ部材、同じ機能を果たす部分には同一の符号を含む百番台で表すこととして、詳細な説明は省略する。
【００５７】
この第１変形実施形態では、リンク１５１の一方のアーム１５１ａの前端下方位置には突片１５１ｄが前向きに突出形成され、他方のアーム１５１ａ’の前端上方位置には突片１５１ｄ’が前向きに突出形成されている。リンク１５２の一方のアーム１５２ａの中間部上方位置にはリンク１５１の突片１５１ｄと係合可能な突起１５２ｅが形成され、他方のアーム１５２ａ’の中間部下方位置にはリンク１５１の突片１５１ｄ’と係合可能な突起１５２ｅ’が形成されている。
【００５８】
そして、コイル部４１が通電解除状態にありプランジャ４２が原位置にある場合には、図１０（ａ），１０（ｂ）に示すように、アーム１５１ａの突片１５１ｄがアーム１５２ａの突起１５２ｅから離間する一方、アーム１５１ａ’の突片１５１ｄ’がアーム１５２ａの突起１５２ｅ’を押し下げた状態にある。これにより、リンク１５２は支持ピン１５３回りに下方へ回転移動した原位置に保持されて、各回動翼片３０が各軸線Ｏ１回りに互いに接近する方向に回動して閉鎖位置に強制的に保持される。
【００５９】
コイル部４１が通電状態にありプランジャ４２が作用位置にある場合には、図１１（ａ），１１（ｂ）に示すように、アーム１５１ａの突片１５１ｄがアーム１５２ａの突起１５２ｅを押し上げる一方、アーム１５１ａ’の突片１５１ｄ’がアーム１５２ａの突起１５２ｅ’から離間した状態にある。これにより、リンク１５２は支持ピン１５３回りに上方へ回転移動した作用位置に保持されて、各回動翼片３０が各軸線Ｏ１回りに互いに離間する方向に回動して開放位置に強制的に保持される。
【００６０】
すなわち、この第１変形実施形態によれば、各回動翼片３０がソレノイド４０のプランジャ４２およびリンク１５１，１５２によって開放位置のみならず閉鎖位置においても強制的に保持されるようになり、各回動翼片３０の開放状態または閉鎖状態を確実に維持することができる。
【００６１】
（第２変形実施形態）
上記した実施形態では、伝達部材５０が二つのリンク５１，５２を備え、また第１変形実施形態では、伝達部材１５０が二つのリンク１５１，１５２を備えるように構成したが、例えば図１２に示すように、伝達部材２５０が一つのリンク２５１のみを備えるように構成してもよい。なお、この第２変形実施形態において、上記実施形態の伝達部材５０と同じ部材、同じ機能を果たす部分には同一の符号を含む二百番台で表すこととして、詳細な説明は省略する。
【００６２】
この第２変形実施形態では、ソレノイド４０および伝達部材２５０が載置されたベース体６１と蓋体６４を前後方向に相互スライドさせ、蓋体６４における中間側壁６４ｃのストッパ６２ｋによりプランジャ４２の原位置が規定されると、このプランジャ４２の原位置にて伝達部材２５０の各作用部２５１ｄが各回動翼片３０の突起３１と連結し合うように、作用部２５１ｄと突起３１の連結位置が一致するように設定されている。これにより、前方側ユニットＦＵと後方側ユニットＲＵを前後方向にそのまま突き合わせれば、各作用部２５１ｂが各突起３１と直ちに連結し合うので、前方側ユニットＦＵと後方側ユニットＲＵとの組付作業性が極めて容易になる。
【００６３】
本発明の実施形態では、上部入賞口１１からの遊技球の誘導路を、台板１０の樋１３とハウジング６０の前方天井壁６４ｄで構成したが、これに限らず、例えば台板がハウジングを兼ねるように構成し、この台板にソレノイドの前方位置で、左右方向の少なくともいずれか一方へ向けて曲げ形成される連続した誘導路を形成してもよい。また、台板の樋を省略して、ハウジングにソレノイドの前方位置で、左右方向の少なくともいずれか一方へ向けて屈曲形成される連続した誘導路を形成してもよい。
【００６４】
また、上記実施形態等では、ベース体６１と蓋体６４とが前後方向の相互スライドにより、係合突起６２ｅ、係合凹部６４ｆの組み合わせからなる係合部、および係合突起６３ｈと係合凹部６４ｇの組み合わせからなる係合部を介して係合されるように構成したが、ベース体と蓋体とが上下方向あるいは斜め方向の相互スライドにより係合部を介して係合されるように構成することも可能である。また、ハウジングは、ベース体と蓋体とに分離不能なものを用いてもよい。
【図面の簡単な説明】
【００６５】
【図１】本発明の一実施形態に係る遊技機用可変入賞装置を備えた遊技機の一例を示す全体図。
【図２】図１に示した遊技機用可変入賞装置の斜視図。
【図３】（ａ）は図２の正面図。（ｂ）は（ａ）のＡ−Ａ中心断面図。
【図４】図２に示した遊技機用可変入賞装置を前方側ユニットと後方側ユニットに分離して示す分解斜視図。
【図５】図４に示した後方側ユニットをベース体側と蓋体側に分離して示す分解斜視図。
【図６】図４に示した後方側ユニットの分解斜視図。
【図７】（ａ）は図２に示した遊技機用可変入賞装置が閉鎖状態にあるときの要部を示す斜視図。（ｂ）は（ａ）の右側面図。
【図８】（ａ）は図７に示した遊技機用可変入賞装置の要部が開放状態にあるときの斜視図。（ｂ）は（ａ）の右側面図。
【図９】図６に示した蓋体の側面破断図。
【図１０】（ａ），（ｂ）は本発明の第１変形実施形態に係る遊技機用可変入賞装置が閉鎖状態にあるときの要部を示す斜視図。
【図１１】（ａ），（ｂ）は図１０に示した遊技機用可変入賞装置の要部が開放状態にあるときの斜視図。
【図１２】本発明の第２変形実施形態に係る遊技機用可変入賞装置が閉鎖状態にあるときの要部を示す右側面図。
【符号の説明】
【００６６】
１  遊技機
２  遊技盤
２ａ  盤面
３  液晶表示部
４  アタッカー
４ａ  入賞扉
５  遊技機用可変入賞装置
ＦＵ  前方側ユニット
ＲＵ  後方側ユニット
１０  台板
１１  上部入賞口
１２  下部入賞口
１３  樋（誘導路）
１５  樋
１４  通過孔
１６  誘導リブ
１７  取付部
１７ａ  ビス止め部
２０  前側装飾部材
２１  誘導リブ
２２  傾斜部
３０  回動翼片
Ｏ１  軸線
３１  突起
３２  脚部
４０  ソレノイド
４１  コイル部
４２  プランジャ
４２ａ  フランジ部
４２ｂ  溝部
４３  ケース
４４  圧縮コイルばね
５０  伝達部材
５１，５２  リンク
５１ａ，５２ａ  アーム
５１ｂ，５２ｂ  架橋部
５１ｃ，５２ｃ  支持ピン孔
５１ｄ  突片
５１ｅ  突起
５２ｄ  作用部
５２ｅ  突起
５３  支持ピン
６０  ハウジング
６１  ベース体
６２  上段収容部
６２ａ  底壁（載置領域）
６２ｂ  左右壁
６２ｃ  後壁
６２ｄ  屈曲壁
６２ｅ  係合突起
６２ｆ  切欠
６３  下段収容部
６３ａ  底壁
６３ｂ  左右壁
６３ｃ  後壁
６３ｄ  凹所
６３ｅ  排出孔
６３ｆ  ピン支持部
６３ｇ  ブラケット部
６３ｈ  係合突起
６３ｋ  貫通孔
６４  蓋体
６４ａ  後方天井壁
６４ｂ  左右側壁
６４ｃ  中間側壁
６４ｄ  前方天井壁（誘導路）
６４ｅ  突条
６４ｅ１  段部
６４ｆ  係合凹部
６４ｇ  係合凹部
６４ｈ  取付部
６４ｈ１  底部
６４ｈ２  貫通孔
６４ｋ  ストッパ
６４ｍ  延出部
６４ｍ１  中間連結部
６４ｍ２  円筒部
６４ｍ３  ビス止め部
６４ｍ４  突条壁
６４ｎ  落下阻止壁
６４ｐ  誘導リブ
７０，８０  近接スイッチ
８１，８２  ビス
１５０  伝達部材
１５１，１５２  リンク
１５１ａ，１５１ａ’，１５２ａ，１５２ａ’  アーム
１５１ｂ，１５２ｂ  架橋部
１５１ｃ，１５２ｃ  支持ピン孔
１５１ｄ，１５１ｄ’  突片
１５１ｅ  突起
１５２ｄ  作用部
１５２ｅ，１５２ｅ’  突起
１５３  支持ピン
２５０  伝達部材
２５１  リンク
２５１ａ  アーム
２５１ｂ  架橋部
２５１ｃ  支持ピン孔
２５１ｄ  作用部
２５１ｅ  突起
２５３  支持ピン
【図１】
0005137543.tif 000002
【図２】
0005137543.tif 000003
【図３】
0005137543.tif 000004
【図４】
0005137543.tif 000005
【図５】
0005137543.tif 000006
【図６】
0005137543.tif 000007
【図７】
0005137543.tif 000008
【図８】
0005137543.tif 000009
【図９】
0005137543.tif 000010
【図１０】
0005137543.tif 000011
【図１１】
0005137543.tif 000012
【図１２】
0005137543.tif 000013